(57)【要約】【課題】送信元情報を取得できない画像データの出力を制限可能なデータ処理装置、及び画像形成装置を提供すること。【解決手段】データ処理装置１１は、取得処理部１１Ａと、制限処理部１１Ｂと、を備える。取得処理部１１Ａは、特定文字を含み且つ数字を除く文字列を表す第２情報を画像データから取得可能である。制限処理部１１Ｂは、前記画像データの送信元を表す第１情報が取得されない場合に、取得処理部１１Ａにより取得される前記第２情報に基づいて前記画像データの出力を制限可能である。【選択図】図１
2020088797.tif 000002
【特許請求の範囲】
【請求項１】
特定文字を含み且つ数字を除く文字列を表す第２情報を画像データから取得可能な取得処理部と、
前記画像データの送信元を表す第１情報が取得されない場合に、前記取得処理部により取得される前記第２情報に基づいて前記画像データの出力を制限可能な制限処理部と、を備えるデータ処理装置。
【請求項２】
前記取得処理部は、前記特定文字を含み且つ前記特定文字から特定方向に特定文字数以上の抽出文字数を有する文字列である候補情報を前記画像データから抽出し、前記候補情報を編集することで前記第２情報を取得する、
請求項１に記載のデータ処理装置。
【請求項３】
前記特定文字及び前記抽出文字数を設定可能な設定処理部、
を更に備える請求項２に記載のデータ処理装置。
【請求項４】
特定情報を入力可能な入力画面と同じレイアウトを有し、且つ、前記候補情報と、予め定められている文字に対応する操作部とを含む編集画面を表示する表示処理部、を更に備え、
前記取得処理部は、前記操作部へのタッチ操作に基づいて前記候補情報を編集する、
請求項１〜３のいずれかに記載のデータ処理装置。
【請求項５】
前記制限処理部は更に、前記画像データを出力することが予め許可されている送信元を示す第３情報と前記取得処理部により取得された前記第１情報とが一致し、且つ前記取得処理部により取得される前記第２情報が前記第３情報とが不一致の場合に、前記画像データの出力を制限可能である、
請求項１〜４のいずれかに記載のデータ処理装置。
【請求項６】
請求項１〜５のいずれかに記載のデータ処理装置と、
前記画像データに基づき画像を形成可能な画像形成部と、
を備える画像形成装置。
【発明の詳細な説明】
【技術分野】
【０００１】
本発明は、画像データの出力を制限可能なデータ処理装置及び画像形成装置に関する。
【背景技術】
【０００２】
ファクシミリ等の画像形成装置では、画像データに基づく印刷物の特定領域から送信元を示す情報（ファクシミリ番号等）がＯＣＲ（Ｏｐｔｉｃａｌ  Ｃｈａｒａｃｔｅｒ  Ｒｅｃｏｇｎｉｔｉｏｎ）処理により取得される。前記情報は、前記送信元から送信される画像データの出力を禁止するために記憶部に記憶される。前記画像形成装置は、前記記憶部内の情報に基づいて、前記画像データの出力を制限する（例えば、特許文献１を参照）。
【先行技術文献】
【特許文献】
【０００３】
【特許文献１】特開２０１１−０４９８７１号公報
【発明の概要】
【発明が解決しようとする課題】
【０００４】
前記送信元には、商品の広告等を表す画像データの前記画像形成装置に送信する場合がある。前記広告等の送信者は、前記送信元情報が前記画像形成装置側で印刷されないように前記送信者のファクシミリを設定することがある。この場合、前記画像形成装置は、前記特定領域から前記送信元情報を取得できないため、前記送信者のファクシミリにより送信される画像データの出力を制限することは難しい。
【０００５】
本発明の目的は、送信元情報を取得できない画像データの出力を制限可能なデータ処理装置、及び画像形成装置を提供することにある。
【課題を解決するための手段】
【０００６】
本発明の一の局面に係るデータ処理装置は、取得処理部と、制限処理部と、を備える。前記取得処理部は、特定文字を含み且つ数字を除く文字列を表す第２情報を画像データから取得可能である。前記制限処理部は、前記画像データの送信元を表す第１情報が取得されない場合に、前記取得処理部により取得される前記第２情報に基づいて前記画像データの出力を制限可能である。
【０００７】
本発明の他の局面に係る画像形成装置は、前記データ処理装置と、画像形成部と、を備える。前記画像形成部は、前記画像データに基づき画像を形成可能である。
【発明の効果】
【０００８】
本発明によれば、送信元情報を取得不能な画像データの出力を制限することが可能となる。
【図面の簡単な説明】
【０００９】
【図１】図１は、一実施形態に係る画像形成装置及びデータ処理装置の構成を示す模式図である。
【図２】図２は、画像データが表す画像の第１例を示す模式図である。
【図３】図３は、画像データが表す画像の第２例を示す模式図である。
【図４】図４は、図１に示す画像形成装置及びデータ処理装置における画像データ受信時の処理手順を示すフローチャートである。
【図５】図５は、図１に示す第１リスト情報の構成を示す模式図である。
【図６】図６は、図１に示す第２リスト情報の構成を示す模式図である。
【図７Ａ】図７Ａは、図１に示す画像形成装置及びデータ処理装置における保存データの処理手順の第１部分を示すフローチャートである。
【図７Ｂ】図７Ａは、図１に示す画像形成装置及びデータ処理装置における保存データの処理手順の第２部分を示すフローチャートである。
【図７Ｃ】図７Ｃは、図１に示す画像形成装置及びデータ処理装置における保存データの処理手順の第３部分を示すフローチャートである。
【図８】図８は、リスト画面Ｓ３の構成を示す模式図である。
【図９】図９は、プレビュー画面Ｓ４の構成を示す模式図である。
【図１０】図１０は、プレビュー画面Ｓ４における第２情報Ｄ１２及び領域Ｒ２１を示す模式図である。
【図１１Ａ】図１１Ａは、図１に示す第３リスト情報の構成を示す模式図である。
【図１１Ｂ】図１１Ｂは、設定画面Ｓ５の構成を示す模式図である。
【図１２Ａ】図１２Ａは、編集画面Ｓ１１の構成を示す模式図である。
【図１２Ｂ】図１２Ｂは、入力画面Ｓ１２の構成を示す模式図である。
【図１３】図１３は、図１に示す画像形成装置及びデータ処理装置における画像データ受信時の処理手順の変形例を示すフローチャートである。
【発明を実施するための形態】
【００１０】
以下添付図面を参照しながら、本発明の一実施形態について説明し、本発明の理解に供する。なお、以下の実施形態は、本発明を具体化した一例であって、本発明の技術的範囲を限定するものではない。
【００１１】
図１において、画像形成装置１は、ファクシミリ、又はファクス機能等を有する複合機等であり、通信回線３を介して通信可能に接続されるファクシミリ２から画像データＤ１を受信する。画像形成装置１は、画像データＤ１が表す画像を用紙等のシートＰ１（図２を参照）に印刷し、印刷物として外部に排出する。
【００１２】
ファクシミリ２は、送信元を示す第１情報Ｄ１１を付加した画像データＤ１を送信する場合がある。第１情報Ｄ１１は、ファクシミリ２のＦＡＸ番号等である。画像形成装置１は、第１情報Ｄ１１を取得する場合、図２に示すように、シートＰ１の特定領域Ｒ１１に第１情報Ｄ１１を印刷可能である。特定領域Ｒ１１は、具体的に、シートＰ１の上辺近傍又は下辺近傍等の一辺寄りの領域である。
【００１３】
ファクシミリ２は、広告等を表す画像データＤ１を画像形成装置１に送信する場合がある。画像形成装置１のユーザーは、この種の画像データＤ１に基づく前記印刷物（即ち、広告等）を受け取ることを望まないことがある。
【００１４】
関連技術に係る画像形成装置は、シートＰ１（図２を参照）に印刷される第１情報Ｄ１１を読み取り、第１情報Ｄ１１に基づいて画像データＤ１の出力を制限する。しかし、前記広告等の制作者は、第１情報Ｄ１１がシートＰ１に印刷されないようにファクシミリ２を設定することがある。この場合、ファクシミリ２は第１情報Ｄ１１を送信しないため、前記画像形成装置は、広告等を表す画像データＤ１の出力を制限することが難しい。
【００１５】
それに対して、画像形成装置１及びデータ処理装置１１によれば、第１情報Ｄ１１を取得できない場合にも画像データＤ１の出力を制限可能である。
【００１６】
画像形成装置１は、図１に示すように、データ処理装置１１、通信部１２、記憶部１３、表示部１４、操作入力部１５、及び画像形成部１６を備える。
【００１７】
データ処理装置１１は、複数の処理部を含む。前記複数の処理部は、取得処理部１１Ａ、制限処理部１１Ｂ、設定処理部１１Ｃ及び表示処理部１１Ｄである。
【００１８】
データ処理装置１１は、画像形成装置１の制御部であり、具体的に、プロセッサー、プログラム記憶部及び主記憶部を含む。前記プロセッサーはＣＰＵ等である。前記プログラム記憶部は、プログラムが予め記憶されるＲＯＭ等である。前記主記憶部はＲＡＭ等である。前記プロセッサーが前記主記憶部を用いて前記プログラムを実行することで、データ処理装置１１は、通信部１２、記憶部１３、表示部１４、操作入力部１５、及び画像形成部１６を統括的に制御する。データ処理装置１１は更に、前記複数の処理部として機能する。
【００１９】
取得処理部１１Ａは、画像データＤ１の送信元を表す第１情報Ｄ１１（図２を参照）を取得可能である。但し、取得処理部１１Ａは、画像データＤ１に第１情報Ｄ１１が付加されていない場合は当該第１情報Ｄ１１を取得することができないことがある。また、取得処理部１１Ａは、第２情報Ｄ１２（図３を参照）を画像データＤ１から取得可能である。なお、本実施形態では、取得処理部１１Ａが、第１情報Ｄ１１が取得されない場合に第２情報Ｄ１２を取得する場合について説明するが、第１情報Ｄ１１が取得される場合にも同様に第２情報Ｄ１２を取得してもよい。第２情報Ｄ１２は、特定文字Ｃ１１（図３を参照）を含み且つ数字を除く文字列Ｃ１を表す。文字列Ｃ１は、前記広告等に関する連絡先を示す。具体的に、シートＰ１には、図３に示すように、前記広告の内容とともに前記連絡先が印刷される。前記連絡先は、シートＰ１において前記広告の制作者により定められる位置に印刷される。それゆえ、前記関連技術に係る画像形成装置では、第２情報Ｄ１２を読み取ることは難しい。
【００２０】
図３において、文字列Ｃ１は、具体的に、電子メールアドレス（以下、アドレスと称する）である。なお、前記連絡先は、ホームページのＵＲＬ（図示せず）でもよい。前記アドレス又はＵＲＬ（Ｕｎｉｆｏｒｍ  Ｒｅｓｏｕｒｃｅ  Ｌｏｃａｔｏｒ）は、数字を除く文字列を含む。文字列Ｃ１は、数字列からなる電話番号及びＦＡＸ番号等を含まない。
【００２１】
文字列Ｃ１は、より詳細には、少なくとも１文字の特定文字Ｃ１１と、文字列Ｃ１２とを含む。特定文字Ｃ１１は、前記連絡先に使用することが予め定められている文字である。文字列Ｃ１２は、特定文字Ｃ１１から、前方向Ｈ１１及び後方向Ｈ１２の少なくとも一方へと配列される。また、文字列Ｃ１２は、技術仕様（Ｒｅｑｕｅｓｔ  ｆｏｒ  Ｃｏｍｍｅｎｔｓ）等で定められる特定文字数以下の数の文字を含む。具体的に、前記電子メールアドレスは、特定文字Ｃ１１としての＠を基準とする前方向Ｈ１１及び後方向Ｈ１２に、前記特定文字数以下の文字数の文字を含む。また、ＵＲＬは、特定文字Ｃ１１としてのｈｔｔｐを基準とする後方向Ｈ１２に、前記特定文字数以下の文字数の文字を含む。
【００２２】
制限処理部１１Ｂは、取得処理部１１Ａにより画像データの送信元を表す第１情報Ｄ１１が取得されない場合に、取得処理部１１Ａにより取得される第２情報Ｄ１２に基づいて前記画像データの出力を制限することが可能である。
【００２３】
取得処理部１１Ａは、具体的に、特定文字Ｃ１１を含み且つ特定文字Ｃ１１から特定方向に特定文字数以上の抽出文字数を有する文字列である候補情報を画像データＤ１から抽出し、前記候補情報を編集することで第２情報Ｄ１２を取得する。前記特定方向は、前方向Ｈ１１及び後方向Ｈ１２の少なくとも一方である。
【００２４】
設定処理部１１Ｃは、前記特定文字、前記特定文字数、又は前記抽出文字数などをユーザー操作に応じて設定可能である。
【００２５】
表示処理部１１Ｄは、特定情報Ｄ３（図１２Ｂを参照）を入力可能な入力画面Ｓ１２と同じレイアウトを有し、且つ、前記候補情報と、予め定められている文字に対応するキーボードＢ２２とを含む編集画面Ｓ１１（図１２Ａを参照）を表示する。取得処理部１１Ａは、前記操作部へのタッチ操作に基づいて前記候補情報を編集する。
【００２６】
制限処理部１１Ｂは更に、画像データＤ１を出力することが予め許可されている送信元を示す第３情報Ｄ１３（図５を参照）と取得処理部１１Ａにより取得された第１情報Ｄ１１とが一致し、且つ取得処理部１１Ａにより取得される第２情報Ｄ１２が第３情報Ｄ１３と不一致の場合に、画像データＤ１の出力を制限可能である。
【００２７】
図１において、通信部１２は、通信回線３に接続される通信インターフェイス等である。通信部１２は、通信回線３を介してファクシミリ２からの画像データＤ１を受信する。通信部１２は、画像データＤ１をデータ処理装置１１に送信する。
【００２８】
記憶部１３は、不揮発性メモリー装置であり、データ処理装置１１により送信される画像データＤ１を記憶可能である。記憶部１３は更に、第１リスト情報Ｌ１、第２リスト情報Ｌ２及び第３リスト情報Ｌ３を記憶する。
【００２９】
表示部１４は、液晶ディスプレー等の表示装置である。表示部１４は、データ処理装置１１により送信される各種画面を表示する。
【００３０】
操作入力部１５は、タッチセンサーである。操作入力部１５は、表示部１４上に重なるように設けられる。操作入力部１５は、表示部１４とともにタッチパネルを構成する。ユーザーは、前記各種画面を参照しつつ操作入力部１５に対しタッチ操作を行う。操作入力部１５は、前記タッチ操作された位置を示す位置情報をデータ処理装置１１に送信する。
【００３１】
画像形成部１６は、電子写真方式又はインクジェット方式により、データ処理装置１１から送信される画像データＤ１に基づく画像を形成可能である。画像形成部１６は更に、前記画像をシートＰ１（図２，図３を参照）に印刷し画像形成装置１の外部に排出する。
【００３２】
次に、図４〜図６を更に参照して、画像形成装置１及びデータ処理装置１１における画像データ受信時の処理をより具体的に説明する。
【００３３】
画像形成装置１において、通信部１２は、図４のステップＳ１１で、通信回線３を介して、ファクシミリ２（図１を参照）により送信される画像データＤ１を受信する。データ処理装置１１は、ステップＳ１１で、取得処理部１１Ａとして機能する。具体的に、取得処理部１１Ａは、通信部１２により受信された画像データＤ１を前記ＲＡＭに転送するよう制御する。なお、画像データＤ１には、第１情報Ｄ１１が付加されている場合がある。この場合、取得処理部１１Ａは、画像データＤ１及び第１情報Ｄ１１を前記ＲＡＭに転送する。前記ＲＡＭは、画像データＤ１、又は画像データＤ１及び第１情報Ｄ１１を記憶する。上記の通り、取得処理部１１Ａは第１情報Ｄ１１を取得可能である。
【００３４】
次に、データ処理装置１１は、ステップＳ１２で、前記ＲＡＭに第１情報Ｄ１１が取得されているか否かを判定する。データ処理装置１１は、第１情報Ｄ１１が取得されている場合には処理をステップＳ１３に進め、第１情報Ｄ１１が取得されていない場合には処理をステップＳ１７に進める。
【００３５】
記憶部１３には、第１リスト情報Ｌ１（図１を参照）が記憶される。第１リスト情報Ｌ１は、図５に示すように、画像データＤ１に基づく画像を印刷出力することが予め許可されている送信元を示す第３情報Ｄ１３を含む。第３情報Ｄ１３は、ＦＡＸ番号、電子メールアドレス又はＵＲＬ等である。
【００３６】
ステップＳ１３において、データ処理装置１１は、第１リスト情報Ｌ１に含まれる第３情報Ｄ１３と前記ＲＡＭ内の第１情報Ｄ１１が一致するか否かを判定する。データ処理装置１１は、第１情報Ｄ１１が第３情報Ｄ１３と一致する場合には処理をステップＳ１４に進め、第１情報Ｄ１１が第３情報Ｄ１３と一致しない場合には処理をステップＳ１５に進める。
【００３７】
ステップＳ１４で、データ処理装置１１は、印刷出力処理を実行する。具体的に、データ処理装置１１は、シートＰ１（図２等を参照）への印刷のために、画像データＤ１を画像形成部１６に送信する。その後、画像データＤ１は第１情報Ｄ１１とともに前記ＲＡＭから削除される。
【００３８】
記憶部１３には、第２リスト情報Ｌ２が記憶される（図１を参照）。第２リスト情報Ｌ２は、図６に示すように、画像データＤ１に基づく画像を印刷出力することが予め制限されている送信元を示す第４情報Ｄ１４を含む。第４情報Ｄ１４は、ＦＡＸ番号、電子メールアドレス又はＵＲＬ等である。
【００３９】
ステップＳ１５において、データ処理装置１１は、第２リスト情報Ｌ２に含まれる第４情報Ｄ１４と前記ＲＡＭ内の第１情報Ｄ１１が一致するか否かを判定する。データ処理装置１１は、第１情報Ｄ１１が第４情報Ｄ１４と一致する場合、ステップＳ１６で、制限処理部１１Ｂとして機能し、画像形成部１６に画像データＤ１を送信することなく画像データＤ１を第１情報Ｄ１１とともに前記ＲＡＭから削除する。
【００４０】
データ処理装置１１は、ステップＳ１５において、第１情報Ｄ１１が第４情報Ｄ１４と一致しない場合には、ステップＳ１７で、画像データＤ１を記憶部１３に保存する。以下、記憶部１３に保存された画像データＤ１を保存データＤ１と称する場合がある。具体的に、データ処理装置１１は、保存データＤ１にデータ名称を割り当てた後、保存データＤ１に対応付けて前記データ名称を記憶部１３に保存する。また、第１情報Ｄ１１が前記ＲＡＭに記憶されている場合、データ処理装置１１は、第１情報Ｄ１１を保存データＤ１に対応付けて記憶部１３に保存する。
【００４１】
次に、図７Ａ〜図７Ｃ及び図８を更に参照して、保存データＤ１に対する画像形成装置１及びデータ処理装置１１の処理を具体的に説明する。
【００４２】
データ処理装置１１は、前記ユーザーにより操作入力部１５が予め定められている手順で操作されると、図７ＡのステップＳ２１を実行する。データ処理装置１１において、表示処理部１１Ｄは、ステップＳ２１で、保存データＤ１のリスト画面Ｓ３（図８を参照）を表示部１４に表示する。図８において、リスト画面Ｓ３は、記憶部１３内の各保存データＤ１の前記データ名称及び第１情報Ｄ１１の組、第１操作部Ｂ１１並びに第２操作部Ｂ１２を含む。前記ユーザーは、前記データ名称の各々、第１操作部Ｂ１１及び第２操作部Ｂ１２を、操作入力部１５を介してタッチ操作可能である。
【００４３】
前記データ名称及び第１情報Ｄ１１の各組は、表示部１４において互いに異なる複数の位置に並ぶように表示される。但し、記憶部１３に第１情報Ｄ１１が保存されていない場合、保存データＤ１に対応する前記データ名称のみが表示される。前記ユーザーは、第１情報Ｄ１１の表示有無により、広告等を表す保存データＤ１を推察することが可能となる。
【００４４】
第１操作部Ｂ１１及び第２操作部Ｂ１２は、ソフトウェアボタンであり、表示部１４において予め定められている位置に表示される。第１操作部Ｂ１１は、保存データＤ１の保存内容を表示部１４に表示させる場合にタッチ操作される。第２操作部Ｂ１２は、図７Ａ〜図７Ｃの処理を終了させる場合にタッチ操作される。データ処理装置１１は、第２操作部Ｂ１２がタッチ操作されると、割り込み処理により図７Ａ〜図７Ｃの処理を終了する。
【００４５】
前記ユーザーは、１つの前記データ名称、第１操作部Ｂ１１を順番にタッチ操作する。前記タッチ操作の各々に応答して、操作入力部１５は位置情報を送信する。データ処理装置１１は、前記位置情報の各々が示す位置から、前記ユーザーによりタッチ操作されたデータ名称を特定するとともに、第１操作部Ｂ１１がタッチ操作されたことを認識する。
【００４６】
ステップＳ２１の次に、データ処理装置１１は、ステップＳ２２で、前記データ名称に対応する保存データＤ１を記憶部１３から取得し、処理対象として前記ＲＡＭ等に記憶する。データ処理装置１１は更に、ステップＳ２３で、プレビュー画面Ｓ４（図９を参照）を表示部１４に表示して、処理をステップＳ２４に進める。
【００４７】
なお、ステップＳ２１の終了から特定時間の間に、前記ユーザーが前記データ名称又は第１操作部Ｂ１１をタッチ操作しない場合、データ処理装置１１は、図７Ａ〜図７Ｃの処理を終了させる。
【００４８】
図９において、プレビュー画面Ｓ４は、前記処理対象の保存データＤ１の内容（以下、保存内容と称する）と、第３操作部Ｂ１３〜第６操作部Ｂ１６と、を含む。前記ユーザーは、第３操作部Ｂ１３〜第６操作部Ｂ１６を、操作入力部１５を介してタッチ操作可能である。
【００４９】
前記保存内容は、具体的に、図中破線の枠内に示すように、表示部１４において予め定められている位置に表示される。表示処理部１１Ｄは、前記ユーザーのタッチ操作に応じて、前記保存内容の表示サイズを拡大又は縮小することが可能である。また、データ処理装置１１は、操作入力部１５のタッチ操作に応じて、前記保存内容において異なる部分を表示部１４の前記位置に表示可能である。これにより、前記ユーザーは、図１０に示すように、前記保存内容から前記連絡先（図３を参照）を見つけることが可能になる。
【００５０】
第３操作部Ｂ１３〜第６操作部Ｂ１６の各々は、ソフトウェアボタンであり、表示部１４において互いに異なる位置に表示される。
【００５１】
第３操作部Ｂ１３は、前記処理対象の保存データＤ１に基づく画像を印刷出力させる場合にタッチ操作される。第４操作部Ｂ１４は、前記処理対象の保存データＤ１を出力制限処理させる場合にタッチ操作される。第５操作部Ｂ１５は、前記ユーザーが前記連絡先（図３を参照）を見つけ且つデータ処理装置１１に第２情報Ｄ１２を取得させる場合に、前記ユーザーによりタッチ操作される。第６操作部Ｂ１６には、第２操作部Ｂ１２（図８を参照）と同じ機能が割り当てられる。
【００５２】
前記ユーザーは、前記保存内容をプレビュー画面Ｓ４で確認しつつ、前記処理対象の保存データＤ１に対する処理を決定する。その後、前記ユーザーは、第３操作部Ｂ１３〜第６操作部Ｂ１６のいずれかを操作入力部１５を介してタッチ操作する。操作入力部１５は、前記タッチ操作された位置を示す位置情報（以下、第１位置情報と称する）を送信する。
【００５３】
ステップＳ２４で、データ処理装置１１は、前記第１位置情報が第３操作部Ｂ１３の表示位置を示すか否かを判定する。
【００５４】
データ処理装置１１は、前記第１位置情報が第３操作部Ｂ１３の表示位置を示すと判定する場合、ステップＳ２５で、印刷出力処理を実行する。即ち、データ処理装置１１は、前記処理対象の保存データＤ１を画像形成部１６に送信する。その後、前記処理対象の保存データＤ１と、対応するデータ名称及び第１情報Ｄ１１とは記憶部１３から削除される。
【００５５】
次に、データ処理装置１１は、ステップＳ２６で表示処理部１１Ｄとして機能する。表示処理部１１Ｄは、保存データＤ１のリスト画面Ｓ３（図８を参照）を表示部１４に表示し、その後、処理をステップＳ２２に進める。
【００５６】
一方、データ処理装置１１は、ステップＳ２４で前記第１位置情報が第３操作部Ｂ１３の表示位置を示さないと判定する場合、ステップＳ２７で、前記第１位置情報が第４操作部Ｂ１４の表示位置を示すか否かを判定する。
【００５７】
データ処理装置１１は、第４操作部Ｂ１４の表示位置を示すと判定する場合、ステップＳ２８で、制限処理部１１Ｂとして機能し、出力制限処理を実行する。具体的に、制限処理部１１Ｂは、前記処理対象の保存データＤ１と、対応するデータ名称及び第１情報Ｄ１１とを記憶部１３から削除する。その後、制限処理部１１Ｂは、処理をステップＳ２６に進める。
【００５８】
一方、データ処理装置１１は、第４操作部Ｂ１４の表示位置を示さないと判定する場合、図７ＢのステップＳ２９で、前記第１位置情報が第５操作部Ｂ１５の表示位置を示すか否かを判定する。
【００５９】
データ処理装置１１は、前記第１位置情報が第５操作部Ｂ１５の表示位置を示すと判定する場合には処理をステップＳ２１０に進め、第５操作部Ｂ１５の表示位置を示さないと判定する場合、図７ＡのステップＳ２４に処理を戻す。なお、この場合、表示処理部１１Ｄは、前記ユーザーに第３操作部Ｂ１３〜第６操作部Ｂ１６のいずれかをタッチ操作するよう促すための報知情報をプレビュー画面Ｓ４上にオーバーレイ表示することが考えられる。
【００６０】
なお、ステップＳ２３の終了から特定時間の間に、前記第１位置情報を受信しない場合、データ処理装置１１は、図７Ａ〜図７Ｃの処理を終了する。
【００６１】
前記ユーザーは、第５操作部Ｂ１５の操作後、プレビュー画面Ｓ４（図１０を参照）に表示可能な前記連絡先を囲むように操作入力部１５を介してタッチ操作する。前記タッチ操作に応答して、操作入力部１５は位置情報を送信する。以下、前記位置情報を、第２位置情報と称する。前記第２位置情報は、前記連絡先を囲む領域Ｒ２１（図１０を参照）の外縁上の複数の位置を示す。
【００６２】
データ処理装置１１において、取得処理部１１Ａは、ステップＳ２１０で、操作入力部１５から前記第２位置情報を取得し、前記ＲＡＭに記憶する。
【００６３】
記憶部１３には、第３リスト情報Ｌ３（図１を参照）が記憶される。第３リスト情報Ｌ３には、図１１Ａに示すように、特定文字Ｃ１１（図３を参照）を示す文字コードである第５情報Ｄ１５が記録される。第３リスト情報Ｌ３には更に、第５情報Ｄ１５に対応して文字数情報Ｄ２が記録される。具体的に、文字数情報Ｄ２は、第１文字数情報Ｄ２１及び第２文字数情報Ｄ２２を含む。第１文字数情報Ｄ２１及び第２文字数情報Ｄ２２は、対応する特定文字Ｃ１１を基準として前方向Ｈ１１（図３を参照）及び後方向Ｈ１２において、ステップＳ２１２で抽出される文字の数（以下、抽出文字数と称する）である。第１文字数情報Ｄ２１及び第２文字数情報Ｄ２２は、対応する特定文字Ｃ１１に対し予め定められる前記特定文字数以上の数に設定される。
【００６４】
第３リスト情報Ｌ３に記録される第５情報Ｄ１５は、データ処理装置１１により設定可能である。具体的に、データ処理装置１１は、前記ユーザーにより操作入力部１５が予め定められている手順で操作されると、第５情報Ｄ１５の設定処理を実行する。
【００６５】
より詳細には、表示処理部１１Ｄは、前記設定処理において、図１１Ｂに示すような設定画面Ｓ５を表示部１４に表示する。設定画面Ｓ５は、第１入力欄Ｂ４１、第２入力欄Ｂ４２、第３入力欄Ｂ４３及びソフトウェアキーボード（以下、単にキーボードと称する）Ｂ４４を含む。第１入力欄Ｂ４１、第２入力欄Ｂ４２、第３入力欄Ｂ４３及びキーボードＢ４４の各々は表示部１４において予め定められている位置に表示される。
【００６６】
第１入力欄Ｂ４１には、前記ユーザーによるキーボードＢ４４のタッチ操作に基づき第５情報Ｄ１５が入力され表示される。第２入力欄Ｂ４２及び第３入力欄Ｂ４３には、キーボードＢ４４のタッチ操作に基づき、第１文字数情報Ｄ２１及び第２文字数情報Ｄ２２がそれぞれ入力され表示される。
【００６７】
設定処理部１１Ｃは、操作入力部１５からの位置情報により特定され且つ第５情報Ｄ１５、第１文字数情報Ｄ２１及び第２文字数情報Ｄ２２の各々を示す文字コードを取得し、記憶部１３内の第３リスト情報Ｌ３に記録する。
【００６８】
図７ＢのステップＳ２１１において、取得処理部１１Ａは、第３リスト情報Ｌ３に記録される各第５情報Ｄ１５と、各第５情報Ｄ１５に対応する第１文字数情報Ｄ２１及び第２文字数情報Ｄ２２とを取得し、ＲＡＭ等に記憶する。
【００６９】
次に、取得処理部１１Ａは、ステップＳ２１２で、前記処理対象の保存データＤ１から前記連絡先の候補情報を抽出する。具体的に、取得処理部１１Ａは、前記処理対象の保存データＤ１から、前記第２位置情報が示す複数の位置で囲まれる部分（即ち、図１０に示す領域Ｒ２１）を、部分画像データとして抽出する。取得処理部１１Ａは更に、周知の文字認識処理を行って、前記部分画像データに含まれる文字画像の各々を文字コードに順次変換する。次に、取得処理部１１Ａは、前記文字認識処理で得られた複数の文字コードから、前記ＲＡＭ内の第５情報Ｄ１５毎に、第５情報Ｄ１５と一致する文字コードと、対応する第１文字数情報Ｄ２１及び第２文字数情報Ｄ２２の各々が示す抽出文字数分の文字コードとを抽出する。取得処理部１１Ａは、抽出した複数の文字コードを、前記連絡先の候補情報として前記ＲＡＭに記憶する。
【００７０】
なお、取得処理部１１Ａは、前記文字認識処理において、前記処理対象の保存データＤ１に含まれる全文字画像を文字コードに変換してもよい。この場合、データ処理装置１１は、ステップＳ２１０を実行する必要が無くなる。
【００７１】
ステップＳ２１２の次に、データ処理装置１１は、ステップＳ２１３で表示処理部１１Ｄとして機能する。表示処理部１１Ｄは、前記ＲＡＭ内の前記連絡先の候補情報から未選択の候補情報を一つ選択する。以下、ステップＳ２１３で選択される候補情報を編集対象と称する。表示処理部１１Ｄは、前記編集対象の選択後、編集画面Ｓ１１（図１２Ａを参照）を表示部１４に表示する。
【００７２】
図１２Ａにおいて、編集画面Ｓ１１は、予め定められているレイアウトを有する編集欄Ｂ２１及びキーボードＢ２２を有する。また、編集画面Ｓ１１は、第７操作部Ｂ１７及び第８操作部Ｂ１８を含む。編集欄Ｂ２１、キーボードＢ２２、第７操作部Ｂ１７及び第８操作部Ｂ１８は表示部１４において予め定められている位置に表示される。前記ユーザーは、編集欄Ｂ２１、キーボードＢ２２、第７操作部Ｂ１７及び第８操作部Ｂ１８を、操作入力部１５を介してタッチ操作可能である。
【００７３】
編集欄Ｂ２１には、前記編集対象が表示される。キーボードＢ２２は、前記編集対象を編集するための複数のソフトキーを含む。前記複数のソフトキーは、本発明における操作部に相当し、予め定められている文字に対応して設けられる。第７操作部Ｂ１７は、前記編集対象の内容を確定させる場合にタッチ操作される。第８操作部Ｂ１８には、第２操作部Ｂ１２（図８を参照）と同じ機能が割り当てられる。
【００７４】
前記ユーザーは、編集画面Ｓ１１で前記編集対象の表示内容を確認しつつ、キーボードＢ２２をタッチ操作して、前記編集対象の編集作業を行うことが可能である。また、前記ユーザーは、取得処理部１１Ａにより取得された前記連絡先の候補情報に対して編集作業を行うため、前記連絡先に含まれる文字を全てタッチ操作により入力する場合との比較において文字の入力ミスを低減することが可能となる。
【００７５】
前記ユーザーは、前記編集作業の終了後、第７操作部Ｂ１７をタッチ操作する。操作入力部１５は、前記タッチ操作された位置を示す位置情報を送信する。
【００７６】
ところで、画像形成装置１は、ファクシミリ２等に画像データを通信回線３を介して送信可能である。前記画像データの送信前に、画像形成装置１において、表示処理部１１Ｄは、入力画面Ｓ１２（図１２Ｂを参照）を表示部１４に表示可能である。図１２Ｂにおいて、入力画面Ｓ１２は、予め定められているレイアウトを有し、特定情報Ｄ３の一例である送信先のＦＡＸ番号をユーザーがタッチ操作により入力可能である。入力画面Ｓ１２は、表示部１４において予め定められている位置にそれぞれが表示される入力欄Ｂ３１及びキーボードＢ３２等を含む。入力欄Ｂ３１には、前記ＦＡＸ番号が表示可能である。キーボードＢ３２は、前記送信先を入力欄Ｂ３１に入力するために、予め定められている数字に対応する複数のソフトキーを含む。前記ユーザーは、入力画面Ｓ１２で前記情報を確認しつつ、キーボードＢ３２をタッチ操作して、前記ＦＡＸ番号を入力可能である。
【００７７】
編集画面Ｓ１１における編集欄Ｂ２１及びキーボードＢ２２のレイアウトは、入力画面Ｓ１２における入力欄Ｂ３１及びキーボードＢ３２のレイアウトと同じであることが考えられる。これにより、前記ユーザーは、前記ＦＡＸ番号の入力と同じ感覚で、前記編集対象の編集作業を行うことが可能となる。
【００７８】
図７ＢのステップＳ２１４で、取得処理部１１Ａは、操作入力部１５から受信する位置情報に従って、前記ＲＡＭ内の前記編集対象を編集する。また、取得処理部１１Ａは更に、前記位置情報が第７操作部Ｂ１７の表示位置を示す場合に、前記編集作業が終了したことを認識する。取得処理部１１Ａは、前記ＲＡＭ内の前記編集対象を第２情報Ｄ１２として確定する。これにより、取得処理部１１Ａは、第２情報Ｄ１２を取得する。なお、表示処理部１１Ｄは、取得処理部１１Ａの編集処理に応じて編集欄Ｂ２１における表示内容を変更する。
【００７９】
次に、データ処理装置１１は、ステップＳ２１５で、前記ＲＡＭから全ての前記候補情報が前記編集対象として選択されたか否かを判定する。データ処理装置１１は、前記候補情報が全て選択していないと判定する場合にはステップＳ２１３に処理を戻し、前記候補情報が全て選択したと判定する場合には図７ＣのステップＳ２１６に処理を進める。
【００８０】
ステップＳ２１６で、データ処理装置１１は、第１リスト情報Ｌ１（図５を参照）が含む第３情報Ｄ１３と、前記ＲＡＭにおける第１特定数の第２情報Ｄ１２が一致するか否かを判定する。前記第１特定数は、１以上の数であり、且つ第２情報Ｄ１２の個数以下の数である。データ処理装置１１は、第１リスト情報Ｌ１に含まれる第３情報Ｄ１３と前記第１特定数の第１情報Ｄ１１が一致する場合には処理を図７ＡのステップＳ２５に進め、前記第１特定数の第１情報Ｄ１１が第３情報Ｄ１３と一致しない場合には処理をステップＳ２１７に進める。
【００８１】
ステップＳ２１７で、データ処理装置１１は、特定条件を充足するか否かを判定する。前記特定条件は、前記ＲＡＭ内の第２情報Ｄ１２を第１リスト情報Ｌ１に記録する際の条件である。前記特定条件は、具体的に、データ処理装置１１により表示部１４に表示される確認画面（図示せず）における特定の操作部（即ち、ソフトウェアボタン）を前記ユーザーがタッチ操作することである。データ処理装置１１は、前記特定条件を充足すると判定する場合、ステップＳ２１８で、前記ＲＡＭ内の第２情報Ｄ１２を記憶部１３内の第１リスト情報Ｌ１に記録して、処理を図７ＡのステップＳ２５に進める。一方、データ処理装置１１は、前記特定条件を充足しないと判定する場合、処理をステップＳ２１９に処理を進める。
【００８２】
ステップＳ２１９で、データ処理装置１１は、第２リスト情報Ｌ２（図６を参照）が含む第４情報Ｄ１４と、前記ＲＡＭ内の前記第２特定数の第２情報Ｄ１２が一致するか否かを判定する。前記第２特定数は、１以上の数であり、且つ第２情報Ｄ１２の個数以下の数である。前記第２特定数は、前記第１特定数と同じであっても良いし異なっていてもよい。データ処理装置１１は、第２リスト情報Ｌ２に含まれる第４情報Ｄ１４と前記第２特定数の第１情報Ｄ１１が一致する場合には処理を図７ＡのステップＳ２８に進める。一方、データ処理装置１１は、前記第２特定数の第１情報Ｄ１１が第４情報Ｄ１４と一致しない場合には、ステップＳ２２０で、前記ＲＡＭ内の第２情報Ｄ１２を記憶部１３内の第２リスト情報Ｌ２に記録し、その後、処理をステップＳ２８に進める。
【００８３】
上記の通り、データ処理装置１１及び画像形成装置１によれば、制限処理部１１Ｂは、取得処理部１１Ａが図４のステップＳ１２で第１情報Ｄ１１を取得できず、且つ図７ＢのステップＳ２１０で第２情報Ｄ１２を取得した場合に、図７ＣのステップＳ２１９，Ｓ２２０を経て、図７ＡのステップＳ２８で画像データＤ１の出力を制限可能である。このように、データ処理装置１１及び画像形成装置１によれば、広告等に関する連絡を示す第２情報Ｄ１２に基づいて出力制限処理を実行することで、第１情報Ｄ１１（即ち、送信元情報）を取得不能で受信者が受け取ることを望まない画像データＤ１の取得を制限することが可能となる。
【００８４】
なお、前記実施形態では、取得処理部１１Ａは、画像データＤ１に付加されている第１情報Ｄ１１を取得可能であるとして説明した。しかし、一般に、ビジネス文書等を表す画像データＤ１を印刷出力処理した場合、図２に示すように、シートＰ１の特定位置に、送信元のＦＡＸ番号が印刷される。データ処理装置１１は、図４のステップＳ１２において、シートＰ１に印刷された前記送信元のＦＡＸ番号を第１情報Ｄ１１として取得可能か否かを判定してもよい。
【００８５】
また、図４のステップＳ１３で第１情報Ｄ１１が第３情報Ｄ１３と一致する場合であっても、画像データＤ１が広告等を表すことも考えられる。このような場合であっても、前記連絡先は広告等に含まれている。そこで、データ処理装置１１は、図１３に示すような処理を実行しても構わない。図１３は、図４に示す処理と比較すると、ステップＳ１４の代わりにステップＳ２１が実行される点で相違する。ステップＳ２１の処理は、図７Ａ〜図７ＣのステップＳ２２〜Ｓ２５，Ｓ２７〜Ｓ２２０を含む。
【符号の説明】
【００８６】
１  画像形成装置
１１  データ処理装置
１１Ａ  取得処理部
１１Ｂ  制限処理部
１１Ｃ  設定処理部
１１Ｄ  表示処理部
【図１】
2020088797.tif 000003
【図２】
2020088797.tif 000004
【図３】
2020088797.tif 000005
【図４】
2020088797.tif 000006
【図５】
2020088797.tif 000007
【図６】
2020088797.tif 000008
【図７Ａ】
2020088797.tif 000009
【図７Ｂ】
2020088797.tif 000010
【図７Ｃ】
2020088797.tif 000011
【図８】
2020088797.tif 000012
【図９】
2020088797.tif 000013
【図１０】
2020088797.tif 000014
【図１１Ａ】
2020088797.tif 000015
【図１１Ｂ】
2020088797.tif 000016
【図１２Ａ】
2020088797.tif 000017
【図１２Ｂ】
2020088797.tif 000018
【図１３】
2020088797.tif 000019